【事件の表示】
　特願２０１７−１７０８８５「仏壇、仏壇における写真台の移動方法、供養具及び供養具における写真台の移動方法」拒絶査定不服審判事件〔、請求項の数（７）〕について、次のとおり審決する。
【結　論】
　原査定を取り消す。
　本願の発明は、特許すべきものとする。
【理　由】
第１　手続の経緯
　本願は、平成２９年９月６日の出願であって、同年１１月１５日付けの拒絶理由の通知に対し、平成３０年１月１８日に意見書が提出されるとともに手続補正がされ、同年３月３０日付けの拒絶理由の通知に対し、同年６月５日に意見書が提出されたが、同年８月２０日付けで拒絶査定がされ、これに対して同年１０月１日に拒絶査定不服審判の請求がされたものである。
　
第２　原査定の概要
　原査定（平成３０年８月２０日付け）の概要は次のとおりである。
　本願請求項１−７に係る発明は、以下の引用文献１−３に記載された発明及び引用文献４−５に記載された周知技術に基づいて、その出願前にその発明の属する技術の分野における通常の知識を有する者（以下「当業者」という。）が容易に発明をすることができたものであるから、特許法第２９条第２項の規定により特許を受けることができない。
　
引用文献等一覧
１.特開２０１７−１３６３３０号公報
２.登録実用新案第３１４５２０１号公報
３.特開平９−４２０号公報
４.特開２００５−３１２５２１号公報
５.実願昭４８−４２１６３号（実開昭４９−１４４５９７号）のマイクロフィルム
　
第３　本願発明
　本願の請求項１−７に係る発明（以下、それぞれ「本願発明１」−「本願発明７」という。）は、平成３０年１月１８日に手続補正された特許請求の範囲の請求項１−７に記載された事項により特定される発明であり、以下のとおりの発明である。
　　
「【請求項１】
　下台内に骨壷を収納し、前記下台の上に上台を載置し、
　前記上台は、仏壇を備え、
　写真台は、故人又はペットの写真が取り付けられたものであって、１個であり、
　１個の前記写真台は、前記下台内に収納されると共に、前記骨壷の正面と前記骨壷の頂面の上方又は前記骨壷の側面に対向する部位に設けた収納スペースとの間を移動自在になるように設けられ、
　１個の前記写真台を前記骨壷の正面に移動させ、正面視、前記写真台により前記骨壷が見えないように覆い、
　１個の前記写真台を前記骨壷の頂面の上方又は前記骨壷の側面に対向する部位に設けた前記収納スペースに移動させて収納し、正面視、前記骨壷が見える
　ことを特徴とする仏壇。 
　【請求項２】
　収納スペースは、下台内にあって、骨壷の頂面の上方に位置し、
　写真台の移動は、
　　前記写真台の両側に設けられた第１、第２の突起と、
　　前記下台の両側板に設けられた前記第１、第２の突起を案内する第１、第２の溝により、行われるものであり、
　　前記写真台を移動させ、前記写真台の両側に設けられた前記第１、第２の突起が前記下台の前方に位置すると、前記写真台が垂下し、正面視、前記写真台により前記骨壷が見えないように覆い、
　　垂下した前記写真台を持ち上げ、前記第１、第２の突起を前記下台の後方に移動させ、前記写真台を前記収納スペースに位置させ、正面視、前記骨壷が見える
　ことを特徴とする請求項１記載の仏壇。 
　【請求項３】
　下台内に骨壷を収納し、
　前記下台の上に上台を載置し、
　前記上台は、仏壇を備え、
　写真台は、故人又はペットの写真が取り付けられたものであって、１個であり、
　１個の前記写真台は、前記骨壷の正面と、前記骨壷の頂面の上方又は前記骨壷の側面に対向する部位に設けた収納スペースとの間を移動自在になるように設けられ、
　１個の前記写真台を前記骨壷の正面に移動させ、正面視、１個の前記写真台により前記骨壷が見えないように覆い、
　１個の前記写真台を前記骨壷の頂面の上方又は前記骨壷の側面に対向する部位に設けた収納スペースに移動させて収納した時、正面視、前記骨壷が見えるように１個の前記写真台を移動させる
　ことを特徴とする仏壇における写真台の移動方法。　
　【請求項４】
　本体内に骨壷を収納した供養具であって、
　写真台は、故人又はペットの写真が取り付けられたものであって、１個であり、
　１個の前記写真台は、前記本体内に収納されると共に、前記骨壷の正面と前記骨壷の頂面の上方又は前記骨壷の側面に対向する部位に設けた収納スペースとの間を移動自在になるように設けられ、
　１個の前記写真台を前記骨壷の正面に移動させ、正面視、１個の前記写真台により前記骨壷が見えないように覆い、
　１個の前記写真台を前記骨壷の頂面の上方又は前記骨壷の側面に対向する部位に設けた前記収納スペースに移動させて収納し、正面視、前記骨壷が見える
　ことを特徴とする供養具。 
　【請求項５】
　収納スペースは、本体内にあって、骨壷の頂面の上方に位置し、
　写真台の移動は、
　　前記写真台の両側に設けられた第１、第２の突起と、
　　前記本体の両側板に設けられた前記第１、第２の突起を案内する第１、第２の溝により、行われるものであり、
　　前記写真台を移動させ、前記写真台の両側に設けられた前記第１、第２の突起が記本体の前方に位置すると、前記写真台が垂下し、正面視、前記写真台により前記骨壷が見えないように覆い、
　　垂下した前記写真台を持ち上げ、前記第１、第２の突起を前記本体の後方に位置させ、前記写真台を前記収納スペースに位置させ、正面視、前記骨壷が見える
　ことを特徴とする請求項４記載の供養具。 
　【請求項６】
　本体に骨壷を収納した供養具における写真台の移動方法であって、
　写真台は、故人又はペットの写真が取り付けられたものであって、１個であり、１個の前記写真台は、前記本体に収納されると共に、前記骨壷の正面と前記骨壷の頂面の上方又は前記骨壷の側面に対向する部位に設けた収納スペースとの間を移動自在になるように設けられ、
　１個の前記写真台は、前記骨壷の正面と、前記骨壷の頂面の上方又は前記骨壷の側面に対向する部位に設けた収納スペースを移動自在になるように設けられ、
　１個の前記写真台を前記骨壷の正面に移動させ、正面視、前記写真台により前記骨壷が見えないように覆い、
　１個の前記写真台を前記骨壷の頂面の上方又は前記骨壷の側面に対向する部位に設けた収納スペースに移動させて収納した時、正面視、前記骨壷が見えるように１個の前記写真台を移動させる
　ことを特徴とする供養具における写真台の移動方法。　
　【請求項７】
　本体に骨壷を収納した供養具における写真台の移動方法であって、
　写真台は、故人又はペットの写真が取り付けられたものであって、
　前記写真台は、前記本体に収納されると共に、前記骨壷の正面と前記骨壷の頂面の上方又は前記骨壷の側面に対向する部位に収納スペースを設け、前記写真台を前記骨壷の正面に移動させ、正面視、前記写真台により前記骨壷が見えないように覆い、
　前記写真台を前記骨壷の頂面の上方又は前記骨壷の側面に対向する部位に設けた前記収納スペースに移動させて収納した時、正面視、前記骨壷が見えるように前記写真台を移動させる
　ことを特徴とする供養具における写真台の移動方法。」
　
第４　引用文献の記載及び引用発明
１　引用文献１の記載
　原査定の拒絶の理由に引用された引用文献１には、図面とともに次の事項が記載されている（下線は、当審で付与した。）。
　
「【０００１】
　本発明は、遺骨および花を一体的に収容でき、仏壇や祭壇（特に後飾り祭壇）の代わりに使用できる供養箱に関する。」
　
「【００２７】
　本体ケース２０の前面２には、左右に隣接した２つの開口８，９が形成されており、この開口８，９の奥にある
本体ケース２０の内部に、納骨部１０および花収容部１１が設けられている。
　
「【００２９】
　納骨部１０には、遺骨を納めることができる。遺骨は、図２に示すように骨壺１４に入った状態で納められてもよいし、骨袋（図示せず）に入った状態で納められてもよい。また、図２では、
骨壺１４は、単に納骨部１０内に載置されている
　花収容部１１に収容される花１７としては、生花の他、特殊な液で水分を抜いたプリザーブドフラワーや造花であってもよい。図１〜図３では、一例として薔薇のプリザーブドフラワーを収容した状態を示している。花収容部１１内の花１７をプリザーブドフラワーや造花としておけば、花１７を長期間交換しなくて済むので、供養箱１の管理を容易にすることができる。また、スタイリッシュな花を収容しておけば、部屋のインテリアと調和し、供養箱１が持つデザイン性を一層引き立てることができる。
【００３０】
　遺影用パネル１２は、たとえばプラスチック板、ガラス板等の板状部材からなり、遺影写真１５を取り付け可能となっている。
遺影写真１５は、たとえば、遺影用パネル１２の前面に貼り付けることによって取り付けられてもよい。
遺影用パネル１２に取り付けられた遺影写真１５によって、通常時（納骨部１０が閉じられているとき）、外部から骨壺１４が見えることを防止することができる。
　
「【００４５】
　また、図１６Ａおよび図１６Ｂの供養箱１６１のように、本体ケース２０の
前面パネル２２は、蝶番４５によって納骨部１０および花収容部１１を一括して開閉する扉であってもよい。
遺影用パネル１２およびカバー部材１３は、前面パネル２２に固定されていてもよい。
　・・・」
　
「【００４７】
　また、
前述の実施形態では、故人を供養する形態を説明したが、本発明は、むろん、ペット等の動物の供養に使用することもできる。その場合、遺影写真１５としてペット等の動物が写った写真を使用してもよい。
　その他、特許の請求の範囲に記載された事項の範囲で種々の設計変更を施すことが可能である。」
　
２　引用発明
　引用文献１の段落【００４５】に記載され、【図１６】に図示された供養箱１６１について、引用文献１の他の記載も合わせて解すると、以下の事項を把握することができる。
　引用文献１の段落【００２７】、段落【００２９】によると、供養箱１６１は、「本体ケース２０内部に納骨部１０を設け、前記納骨部１０内に骨壺１４を載置」するものといえる。
　引用文献１の段落【００３０】、段落【００４５】によると、遺影写真１５は遺影用パネル１２の前面に貼り付けられ、この遺影用パネル１２は前面パネル２２に固定されるものであり、また、段落【００４７】によると、遺影写真１５は、故人又はペット等の動物が写ったものであることが示唆されている。さらに、段落【００４５】及び図１６によると蝶番４５によって納骨部１０および花収容部１１を一括して開閉する前面パネル２２は１個であるから、これらを勘案すると「前面パネル２２は、故人又はペット等の動物が写った遺影写真１５が貼り付けられた遺影用パネル１２が固定されたものであって、１個」であるといえる。
　さらに、引用文献１の段落【００３０】によると、図１〜図３の実施形態において、遺影用パネル１２に取り付けられた遺影写真１５によって、通常時（納骨部１０が閉じられているとき）、外部から骨壺１４が見えることを防止するものであることを勘案すると、段落【００４５】に記載された供養箱１６１においても、「前面パネル２２で納骨部１０が閉じられているとき、前記前面パネル２２により骨壺１４が見えなくされている」といえる。
　
　したがって、前記引用文献１の記載事項及び図面の図示内容を総合すると、引用文献１には、次の発明（以下「引用発明」という。）が記載されていると認められる。
　
「本体ケース２０内部に納骨部１０を設け、前記納骨部１０内に骨壺１４を載置し、
　前面パネル２２は、故人又はペット等の動物が写った遺影写真１５が貼り付けられた遺影用パネル１２が固定されたものであって、１個であり、
　１個の前記前面パネル２２で前記納骨部１０が閉じられているとき、前記前面パネル２２により前記骨壺１４が見えなくされている
　供養箱１６１。」
　
３　引用文献２の記載
　原査定の拒絶の理由に引用された引用文献２には、図面とともに次の事項が記載されている（下線は、当審で付与した。）。
　
「【０００４】
　しかしながら、従来の仏壇は、サイズや重量が大きいため容易に持ち運びすることができず好ましくない。また、仏壇は比較的にサイズが大きく、装飾や彫刻が大掛かりであるため前述のように高価である。さらに、一般の信徒が個人的に所有するには経済的負担が大きいという不都合がある。
【０００５】
　本考案は前記のような従来の不都合に着目してなされたものであり、その目的とするところは、信徒の誰でもが、必要に応じて何時でも何処でも礼拝することができるとともに、容易に持ち運んだり、個人的に所有したりすることができる仏壇を提供することを目的とする。」
　
「【０００８】
　また、
下部箱内の表示板を取り出し、
信徒はこの表示板に表された仏陀の尊影および遺族の遺影に礼拝することができる。
　
「【００１９】
　右側板１４および左側板１５の上部内面であって、等しい高さ位置には、角棒状の支持部材２８、２９が水平に取り付けられている。これらの支持部材２８、２９は
表示板３０の左右端部を摺動自在にガイドおよび収納可能にしている。
【００２０】
　
表示板３０は、写真を表示する四つの表示領域ａ、ｂ、ｃ、ｄが設けられ、
表示領域ｂ、ｃ、ｄには菩薩や脇侍といった諸仏のほか、遺族の遺影などが飾られている。
　
「【００２９】
　次に、
下部箱１１内の支持部材２８、２９に両端部が支持されている表示板３０を手で摘んで外へ引き出し、その下端部を上部箱１２の天板３１内面に形成された表示板係止溝３７内に挿し入れる。
【００３０】
　この表示板３０の上部箱１２における傾斜角度は前方から前記尊影等の看取が容易な角度である。この表示板３０表面の表示領域ａに表示された仏陀の尊影ととともに、表示領域ｂ〜ｄに表示された菩薩や脇侍の絵像、遺族の遺影などを前方に見ながら手を合わせて、厳粛に礼拝することができる。また、
礼拝が終了した場合には、表示板３０を凹溝３７から引き上げて分離し、下部箱１１の前記支持部材２８、２９上に載せて天板１７の下部に収納することができる。
【００３１】
　このように、天板１７の下部に
表示板３０を図３および図４に示すように収納した後は、上部箱１２をヒンジ部材３６を中心に、前記矢印Ａとは反対方向に回動操作する。
これにより、仏壇は図２に示すように六面が滑らかに連続する直方形態の収納箱となり、運搬や移送などが容易になる。
　
４　引用文献３の記載
　原査定の拒絶の理由に引用された引用文献３には、図面とともに次の事項が記載されている（下線は、当審で付与した。）。
　
「【０００２】
【従来の技術】仏壇は、図９に示す如く、前面に２つ折りの観音開きとなっている雨戸１０１を有し、内部に宮殿、本尊など仏具を収容している。雨戸１０１の内側には、観音開きとなっている障子１０２が装着されている。このため、住宅の仏間に仏壇設置のための床の間を設ける場合、両側の壁が近接していると、雨戸１０１や障子１０２を完全に開放することができない。
【０００３】
【発明が解決しようとする課題】このため、壁間の幅を一杯に有効利用することが不可能であり、幅の狭い小型の仏壇しか設置できない。この発明の目的は、両側の壁間の幅に近い幅の大型の仏壇を設置できる仏壇の提供にある。」
　
「【００１２】
上下開き雨戸１１は、上雨戸２と下雨戸３とからなる。上雨戸２は、
仏壇１に取り付けられている。下雨戸３は、
仏壇１に取り付けられている。
【００１３】この実施例では、上雨戸２は、矩形の戸板２０と、その上端部の左右両側に水平方向の円柱状の上突起２１、２２を有する。下雨戸３は、矩形の戸板３０と、その下端部の左右両側に水平方向の円柱状の下突起３１、３２を有する。上突起２１、２２および下突起３１、３２の先端部には、それぞれ滑車３Ａが取り付けられている。」
　
「【００１６】左右前柱１２、１３の上端部および下端部には、上横材４２、４３および下横材４４、４５が連結されている。上台１４とすおい１６との間の、左右前柱１２、１３の上端部の内側面および上横材４２、４３の内側面には、水平方向の上溝４Ａ、４Ｂが形成されている。下段１７と下台１５との間の、左右前柱１２、１３の下端部の内側面および下横材４４、４５の内側面には、水平方向の下溝４Ｃ、４Ｄが形成されている。
【００１７】
上雨戸２は、
上台１４とすおい１６との隙間Ａに出し入れ自在に差し込まれる。下雨戸３は、
隙間Ｄに出し入れ自在に差し込まれる。
　
５　その他の文献について
　また、原査定の拒絶の理由において、周知技術を示す文献として引用された引用文献４の段落【００１２】には「図１に示すように、納骨用仏壇１は、台座７の上に配置された納骨部２および納骨部２の上側に設けられた仏壇部３を備えている。」と記載されている。さらに、同じく原査定の拒絶の理由において、周知技術を示す文献として引用された引用文献５の明細書の第２ページ第７行〜第１７行には「即ち、本考案は前面が開口１され正面巾２が一定で両側面３．３が垂面となった縦長函４の内部に納骨所要間隔５．５・・のある数段の納骨用棚６．６・・と該棚の最上段上部に引出し７と板引出し８が段設され前面開口部が錠９を有する１枚分離蓋で閉蓋されて成る納骨壇１１上に、該納骨檀の正面巾２と同じ巾１２で両側面３’．３’が垂面となり、内部に飾付段１６があって奥行を小さくした正面観音扉１３．１３の仏壇１４が着脱自在に重積されて飾段１５が形成された屋内設置用納骨仏檀を要旨としている。」と記載されている。　
　
第５　対比・判断
１　本願発明１について
（１）対比 
　以下、本願発明１と引用発明とを対比する。
　引用発明の供養箱１６１は、骨壺１４を収納する機能を備えているものであるから、引用発明の「本体ケース２０内部に納骨部１０を設け、前記納骨部１０内に骨壺１４を載置し」た供養箱１６１と、本願発明１の「下台内に骨壷を収納し、前記下台の上に上台を載置し、前記上台は、仏壇を備え」た仏壇とを対比すると、「箱体内に骨壺を収納する骨壺収納体」である点において共通する。
　引用発明の「故人又はペット等の動物が写った遺影写真１５」は、本願発明１の「故人又はペットの写真」に相当し、引用発明の「前面パネル２２」は、遺影写真１５が遺影用パネル１２を介して取り付けられるものであるから、本願発明１の「写真台」に相当する。そうすると、引用発明の「前面パネル２２は、故人又はペット等の動物が写った遺影写真１５が貼り付けられた遺影用パネル１２が固定されたものであって」という事項は、本願発明１の「写真台は、故人又はペットの写真が取り付けられたものであって」に相当する。
　引用発明の「前面パネル２２」は、納骨部１０を閉じているとき、骨壺１４の正面に移動しており、正面視で骨壺１４を見えなくしており、骨壺１４を覆っているといえるから、引用発明の「前記前面パネル２２で前記納骨部１０が閉じられているとき、前記前面パネル２２により前記骨壺１４が見えなくされている」という事項は、本願発明１の「前記写真台を前記骨壷の正面に移動させ、正面視、前記写真台により前記骨壷が見えないように覆い」という事項に相当する。
　
　したがって、本願発明１と引用発明とは、
「箱体内に骨壺を収納し、
　写真台は、故人又はペットの写真が取り付けられたものであって、１個であり、
　１個の前記写真台を前記骨壷の正面に移動させ、正面視、前記写真台により前記骨壷が見えないように覆う
　骨壺収納体。」
である点で一致し、以下の点で相違する。 
　
［相違点１］
　骨壺収納体の全体構成について、本願発明１においては「下台内に骨壷を収納し、前記下台の上に上台を載置し、前記上台は、仏壇を備え」た「仏壇」であるのに対し、引用発明においては「本体ケース２０内部に納骨部１０を設け、前記納骨部１０内に骨壺１４を載置した供養箱１６１」である点。
　
［相違点２］
　写真台について、本願発明１においては「下台内に収納されると共に、前記骨壷の正面と前記骨壷の頂面の上方又は前記骨壷の側面に対向する部位に設けた収納スペースとの間を移動自在になるように設けられ」ており、「前記写真台を前記骨壷の頂面の上方又は前記骨壷の側面に対向する部位に設けた前記収納スペースに移動させて収納し、正面視、前記骨壷が見える」ようにしたものであるのに対し、引用発明においてはこのようなものであるとはいえない点。
　
（２）判断 
　事案に鑑みて、前記相違点２について、先に検討する。
　引用文献２の段落【００１９】、【００２０】、【００２９】、【００３０】の記載を参酌すると、引用文献２には、表示領域ｂ、ｃ、ｄに遺族の遺影が飾られた表示板３０を下部箱１１の支持部材２８、２９上に載せて天板１７の下部に収納することができるようにし、表示板３０を手で摘まんで外へ引き出し、上部箱１２の天板３１内面に形成された表示板係止溝３７内に挿し入れることにより遺族の遺影を前方に見ながら礼拝をすることができるようにした仏壇が記載されている。
　しかしながら、当該引用文献２に記載された事項は、骨壺についての開示がないから、表示板３０が骨壷の正面に移動するものではなく、表示板３０を下部箱１１の天板１７の下部に収納したとしても骨壺が見えるものではない。また、引用文献２の段落【００３１】によれば、引用文献２に記載された事項において、表示板３０を下部箱１１の天板１７の下部に収納するのは、表示板３０を収納した後に下部箱１１と上部箱１２とを重ねるように閉じて、運搬や移送を容易にするためであると解されるから、引用文献２に記載された事項は、そもそも表示板３０を下部箱１１の天板１７の下部に収納した状態で、仏壇として使用することは想定していないものである。
　すると、引用文献２には、本願発明１の前記相違点２に係る発明特定事項である「写真台は、下台内に収納されると共に、前記骨壷の正面と前記骨壷の頂面の上方又は前記骨壷の側面に対向する部位に設けた収納スペースとの間を移動自在になるように設けられ」ており、「前記写真台を前記骨壷の頂面の上方又は前記骨壷の側面に対向する部位に設けた前記収納スペースに移動させて収納し、正面視、前記骨壷が見える」ようにする点は記載されていない。
　
　次に、引用文献３の段落【００１２】、【００１７】の記載を参酌すると、引用文献３には、上雨戸２を上台１４とすおい１６との隙間Ａに出し入れ自在に差し込み、下雨戸３を下段１７と下台１５との隙間Ｄに出し入れ自在に差し込むことができる仏壇１が記載されている。
　しかしながら、当該引用文献３に記載された上雨戸２又は下雨戸３は写真が取り付けられたものではない。また、上雨戸２又は下雨戸３は、骨壷の正面に移動するものではないから、上雨戸２又は下雨戸３を隙間Ａ又は隙間Ｄに収納したとしても骨壺が見えるものではない。
　すると、引用文献３には、本願発明１の前記相違点２に係る発明特定事項である「写真台は、下台内に収納されると共に、前記骨壷の正面と前記骨壷の頂面の上方又は前記骨壷の側面に対向する部位に設けた収納スペースとの間を移動自在になるように設けられ」ており、「前記写真台を前記骨壷の頂面の上方又は前記骨壷の側面に対向する部位に設けた前記収納スペースに移動させて収納し、正面視、前記骨壷が見える」ようにする点は記載されていない。
　
　さらに、周知技術を示すために引用された引用文献４及び引用文献５にも、本願発明１の前記相違点２に係る発明特定事項である「写真台は、下台内に収納されると共に、前記骨壷の正面と前記骨壷の頂面の上方又は前記骨壷の側面に対向する部位に設けた収納スペースとの間を移動自在になるように設けられ」ており、「前記写真台を前記骨壷の頂面の上方又は前記骨壷の側面に対向する部位に設けた前記収納スペースに移動させて収納し、正面視、前記骨壷が見える」ようにする点が記載されていないことは明らかである。
　
　そして、本願発明１は、「写真台」、「骨壺」及び写真台の「収納スペース」を備えることを前提として、前記相違点２に係る発明特定事項を一体的に備えることにより、「下台内に収納した写真を骨壷の正面に移動させ、正面視、写真により前記骨壷が見えないように覆い、また、写真を骨壷の頂面の上方又は前記骨壷の側面に対向する部位に設けた収納スペースに移動させ、正面視、骨壷が見えるようにして、使用者の好みに対応することができる。」（段落【００１１】）という効果を奏するものであって、写真台を選択的に下台内の収納スペースに移動させて、写真台に取り付けられた写真を見せるか、骨壺を見せるかを選択可能にするという仏壇等の供養具特有の技術的思想を備えるものである。
　それぞれ、引用文献２には、遺影が飾られた表示板３０を下部箱１１の天板１７の下部に収納する点が記載され、引用文献３には、上雨戸２又は下雨戸３を隙間Ａ又は隙間Ｄに出し入れ自在に収納する点が記載されているとしても、本願発明１の前記仏壇等の供養具特有の技術的思想については、いずれの引用文献にも開示や示唆がされていないから、引用発明に引用文献２に記載された事項及び引用文献３に記載された事項を適用し、本願発明１の前記相違点２に係る発明特定事項を容易に想到し得たということはできない。
　ここで、原査定（平成３０年８月２０日付け）において、「そして、引用文献２に記載された遺影写真を収納するという技術的思想に触れた当業者が、引用文献１に記載の写真を取り付けた前面パネルに、引用文献３に記載された扉の収納構造を適用することは、格別困難とは認められない。」との判断が示されているが、引用文献２に記載された事項は、前述したように、そもそも表示板３０を下部箱１１の天板１７の下部に収納した状態で、仏壇として使用することは想定していないものであり、運搬や移送を行うために下部箱１１と上部箱１２とを重ねることができるという、引用文献２に記載された事項、特有の構成を備えることを前提として、運搬や移送のために、表示板３０を下部箱１１の天板１７の下部に収納するものである。
　そうすると、引用文献２に記載された事項に当業者が触れたとしても、前記前提が異なる引用発明において、遺影用パネル１２が固定された前面パネル２２を収納しようとする起因ないし契機とはなり得ないものである。
　
　したがって、本願発明１は、相違点１を検討するまでもなく、当業者であっても引用発明、引用文献２に記載された事項、引用文献３に記載された事項及び引用文献４，５に示された周知技術に基づいて、容易に発明をすることができたものであるとはいえない。
　
２　本願発明２について
　請求項２は請求項１を引用するものであり、本願発明２も、本願発明１の前記相違点２に係る発明特定事項である「写真台は、下台内に収納されると共に、前記骨壷の正面と前記骨壷の頂面の上方又は前記骨壷の側面に対向する部位に設けた収納スペースとの間を移動自在になるように設けられ」ており、「前記写真台を前記骨壷の頂面の上方又は前記骨壷の側面に対向する部位に設けた前記収納スペースに移動させて収納し、正面視、前記骨壷が見える」という事項を備えるものであるから、本願発明１と同じ理由により、本願発明２は、当業者であっても、引用発明、引用文献２に記載された事項、引用文献３に記載された事項及び引用文献４，５に示された周知技術に基づいて、容易に発明をすることができたものであるとはいえない。
　
３　本願発明３について
　本願発明３と引用発明とを対比すると、少なくとも以下の点において相違する。
　
　写真台について、本願発明３においては「骨壷の正面と、前記骨壷の頂面の上方又は前記骨壷の側面に対向する部位に設けた収納スペースとの間を移動自在になるように設けられ」ており、「前記写真台を前記骨壷の頂面の上方又は前記骨壷の側面に対向する部位に設けた収納スペースに移動させて収納した時、正面視、前記骨壷が見えるように」、「前記写真台を移動させる」ものであるのに対し、引用発明においてはこのようなものであるとはいえない点。
　
　当該相違点は、本願発明１の前記相違点２と実質的に変わらないものであるから、本願発明１と同じ理由により、本願発明３は、当業者であっても、引用発明、引用文献２に記載された事項、引用文献３に記載された事項及び引用文献４，５に示された周知技術に基づいて、容易に発明をすることができたものであるとはいえない。
　
４　本願発明４、本願発明５について
　本願発明４と引用発明とを対比すると、少なくとも以下の点において相違する。
　
　写真台について、本願発明４においては「本体内に収納されると共に、前記骨壷の正面と前記骨壷の頂面の上方又は前記骨壷の側面に対向する部位に設けた収納スペースとの間を移動自在になるように設けられ」ており、「前記写真台を前記骨壷の頂面の上方又は前記骨壷の側面に対向する部位に設けた前記収納スペースに移動させて収納し、正面視、前記骨壷が見える」ようにしたものであるのに対し、引用発明においてはこのようなものであるとはいえない点。
　
　当該相違点は、本願発明１の前記相違点２と実質的に変わらないものであるから、本願発明１と同じ理由により、本願発明４は、当業者であっても、引用発明、引用文献２に記載された事項、引用文献３に記載された事項及び引用文献４，５に示された周知技術に基づいて、容易に発明をすることができたものであるとはいえない。
　
　請求項５は請求項４を引用するものであるから、本願発明５についても同様である。
　
５　本願発明６について
　本願発明６と引用発明とを対比すると、少なくとも以下の点において相違する。
　
　写真台について、本願発明６においては「本体に収納されると共に、前記骨壷の正面と前記骨壷の頂面の上方又は前記骨壷の側面に対向する部位に設けた収納スペースとの間を移動自在になるように設けられ」ており、「前記写真台を前記骨壷の頂面の上方又は前記骨壷の側面に対向する部位に設けた収納スペースに移動させて収納した時、正面視、前記骨壷が見えるように」、「前記写真台を移動させる」ものであるのに対し、引用発明においてはこのようなものであるとはいえない点。
　
　当該相違点は、本願発明１の前記相違点２と実質的に変わらないものであるから、本願発明１と同じ理由により、本願発明６は、当業者であっても、引用発明、引用文献２に記載された事項、引用文献３に記載された事項及び引用文献４，５に示された周知技術に基づいて、容易に発明をすることができたものであるとはいえない。
　
６　本願発明７について
　本願発明７と引用発明とを対比すると、少なくとも以下の点において相違する。
　
　写真台について、本願発明７においては「本体に収納されると共に、前記骨壷の正面と前記骨壷の頂面の上方又は前記骨壷の側面に対向する部位に収納スペースを設け」ており、「前記写真台を前記骨壷の頂面の上方又は前記骨壷の側面に対向する部位に設けた前記収納スペースに移動させて収納した時、正面視、前記骨壷が見えるように前記写真台を移動させる」ものであるのに対し、引用発明においてはこのようなものであるとはいえない点。
　
　当該相違点は、本願発明１の前記相違点２と実質的に変わらないものであるから、本願発明１と同じ理由により、本願発明７は、当業者であっても、引用発明、引用文献２に記載された事項、引用文献３に記載された事項及び引用文献４，５に示された周知技術に基づいて、容易に発明をすることができたものであるとはいえない。
　
第６　むすび
　以上のとおり、本願発明１−７（請求項１−７に係る発明）は、当業者が引用発明、引用文献２に記載された事項、引用文献３に記載された事項及び引用文献４，５に示された周知技術に基づいて、容易に発明をすることができたものではない。したがって、原査定の理由によっては、本願を拒絶することはできない。
　また、他に本願を拒絶すべき理由を発見しない。　
　よって、結論のとおり審決する。